(57)【要約】【解決手段】滑り止め部材挿入孔１を形成する相対するリブ２には、脱落防止部材３及び係止爪４が形成されているとともに、滑り止め部材Ｓには、垂直状角柱部挿入用垂直溝ｓ２、水平状角柱部挿入用水平溝ｓ６及び係止爪挿入用水平溝ｓ１とが形成されており、滑り止め部材が、前記滑り止め部材挿入孔に挿着された際には、滑り止め部材挿入孔を形成するリブに形成された係止爪が、滑り止め部材に形成された係止爪挿入用水平溝に係合されるとともに、脱落防止部材の垂直状角柱部の上端面が、滑り止め部材の上面と略面一になるように構成したものである。【効果】作業者は、目視により、滑り止め部材挿入孔に形成された脱落防止部材の垂直状角柱部の上端面が、滑り止め部材の上面と略面一となるまで、滑り止め部材を、滑り止め部材挿入孔に打ち込めばよく、従って、滑り止め部材を、打ちすぎて、滑り止め部材挿入孔に形成された脱落防止部材を損傷するようなことを防止することができる。【選択図】図１３
2010116194.tif 000002
【特許請求の範囲】
【請求項１】
上部デッキボードに穿設された滑り止め部材挿入孔と該滑り止め部材挿入孔に挿着される滑り止め部材とを有する合成樹脂製パレットにおいて、前記滑り止め部材挿入孔を形成する相対するリブには、前記相対するリブの下端部を架橋する脱落防止部材及び係止爪が形成されているとともに、前記滑り止め部材には、前記脱落防止部材を構成する垂直状角柱部が挿入される垂直状角柱部挿入用垂直溝、前記脱落防止部材を構成する水平状角柱部が挿入される水平状角柱部挿入用水平溝及び前記リブに形成された前記係止爪が係合される係止爪挿入用水平溝とが形成されており、前記滑り止め部材が、前記滑り止め部材挿入孔に挿着された際には、前記滑り止め部材挿入孔を形成するリブに形成された前記係止爪が、前記滑り止め部材に形成された前記係止爪挿入用水平溝に係合されるとともに、前記脱落防止部材の垂直状角柱部の上端面が、前記滑り止め部材の上面と略面一になるように構成されていることを特徴とする合成樹脂製パレット。
【発明の詳細な説明】
【技術分野】
【０００１】
本発明は、合成樹脂製パレットのフォーク差し込み孔にフォークを挿入して、合成樹脂製パレットを持ち上げた際に、フォークのパレット載置面と、フォークのパレット載置面と接触する合成樹脂製パレットの上部デッキボードの下面との滑りを防止するための滑り止め部材が配設された合成樹脂製パレットに関するものである。
【背景技術】
【０００２】
本出願人は、特許文献１において、デッキボードに形成された滑り止め部材挿入孔に挿着される、フォークの上面と当接する滑り止め部材を、上部デッキボードの下面からは突出するが、上部デッキボードの上面からは突出しないように構成した合成樹脂製パレットを提案した。
【０００３】
【特許文献１】特開平１１−７９１８２号公報
【発明の開示】
【発明が解決しようとする課題】
【０００４】
滑り止め部材が、合成樹脂製パレットに形成された滑り止め部材挿入孔に挿着された際には、滑り止め部材の下面に形成された溝に、滑り止め部材挿入孔の底部を架橋する脱落防止バーが挿入されることにより、滑り止め部材が、合成樹脂製パレットから脱落しないように構成されているとともに、滑り止め部材の周壁に形成されている係止爪用溝に、滑り止め部材挿入孔の内壁に形成された係止爪を係止することにより、滑り止め部材が、滑り止め部材挿入孔から、簡単には、離脱しないようように構成されているが、従来の合成樹脂製パレットにおいては、滑り止め部材の下面に形成された溝に、滑り止め部材挿入孔の底部を架橋する脱落防止バーが、確実に挿入されているかどうかや、滑り止め部材の周壁に形成されている係止爪用溝に、滑り止め部材挿入孔の内壁に形成された係止爪が、確実に係止されているかどうか等を、目視にて確認することができなかった。
【０００５】
滑り止め部材の周壁に形成されている係止爪用溝に、滑り止め部材挿入孔の内壁に形成された係止爪が係止されていない状態で、合成樹脂製パレットのフォーク差し込み孔にフォークを挿入して、合成樹脂製パレットを持ち上げると、滑り止め部材が、上方に移動し、滑り止め部材の下面が、フォークの上面に当接しないことになり、従って、フォークに載置された合成樹脂製パレットが水平方向に移動したり、或いは、フォークから、合成樹脂製パレットが落下するというような問題があった。
【０００６】
本発明の目的は、上述した従来の合成樹脂製パレットが有する課題を解決することにある。
【課題を解決するための手段】
【０００７】
本発明は、上述した目的を達成するために、上部デッキボードに穿設された滑り止め部材挿入孔と該滑り止め部材挿入孔に挿着される滑り止め部材とを有する合成樹脂製パレットにおいて、前記滑り止め部材挿入孔を形成する相対するリブには、前記相対するリブの下端部を架橋する脱落防止部材及び係止爪が形成されているとともに、前記滑り止め部材には、前記脱落防止部材を構成する垂直状角柱部が挿入される垂直状角柱部挿入用垂直溝、前記脱落防止部材を構成する水平状角柱部が挿入される水平状角柱部挿入用水平溝及び前記リブに形成された前記係止爪が係合される係止爪挿入用水平溝とが形成されており、前記滑り止め部材が、前記滑り止め部材挿入孔に挿着された際には、前記滑り止め部材挿入孔を形成するリブに形成された前記係止爪が、前記滑り止め部材に形成された前記係止爪挿入用水平溝に係合されるとともに、前記脱落防止部材の垂直状角柱部の上端面が、前記滑り止め部材の上面と略面一になるように構成したものである。
【発明の効果】
【０００８】
上部デッキボードに穿設された滑り止め部材挿入孔と該滑り止め部材挿入孔に挿着される滑り止め部材とを有する合成樹脂製パレットにおいて、前記滑り止め部材挿入孔を形成する相対するリブには、前記相対するリブの下端部を架橋する脱落防止部材及び係止爪が形成されているとともに、前記滑り止め部材には、前記脱落防止部材を構成する垂直状角柱部が挿入される垂直状角柱部挿入用垂直溝、前記脱落防止部材を構成する水平状角柱部が挿入される水平状角柱部挿入用水平溝及び前記リブに形成された前記係止爪が係合される係止爪挿入用水平溝とが形成されており、前記滑り止め部材が、前記滑り止め部材挿入孔に挿着された際には、前記滑り止め部材挿入孔を形成するリブに形成された前記係止爪が、前記滑り止め部材に形成された前記係止爪挿入用水平溝に係合されるとともに、前記脱落防止部材の垂直状角柱部の上端面が、前記滑り止め部材の上面と略面一になるように構成したので、滑り止め部材の上部デッキボードに穿設された滑り止め部材挿入孔への挿着作業の際には、作業者は、目視により、滑り止め部材挿入孔に形成された脱落防止部材の垂直状角柱部の上端面が、滑り止め部材の上面と略面一となるまで、滑り止め部材を、滑り止め部材挿入孔に打ち込めばよく、従って、滑り止め部材を、打ちすぎて、滑り止め部材挿入孔に形成された脱落防止部材を損傷するようなことを防止することができる。
【０００９】
また、滑り止め部材挿入孔に形成された脱落防止部材の垂直状角柱部の上端面が、滑り止め部材の上面と略面一となるまで、滑り止め部材を、滑り止め部材挿入孔に打ち込めば、滑り止め部材挿入孔を形成するリブに形成された係止爪が、滑り止め部材に形成された係止爪挿入用水平溝に、確実に係合されることになり、従って、合成樹脂製パレットのフォーク差し込み孔にフォークを挿入して、合成樹脂製パレットを持ち上げた際に、滑り止め部材が、上方に移動するようなことを防止することができる。
【実施例】
【００１０】
先ず最初に、図１及び図２を用いて、本発明の合成樹脂製パレットＰの全体構成について概説する。なお、合成樹脂製パレットＰは、全体を一体成形により、或いは、上部デッキボード側と下部デッキボード側とを別々に成形し、その後、融着することにより製造することができる。
【００１１】
ｐ１は、合成樹脂製パレットＰの四隅に形成された、上部デッキボードＰ’と下部デッキボードＰ”とを接続する隅桁であり、ｐ２は、隅桁ｐ１の中間に配置された、同じく上部デッキボードＰ’と下部デッキボードＰ”とを接続する中間桁であり、ｐ３は、パレットＰの中央部に配置された、同じく上部デッキボードＰ’と下部デッキボードＰ”とを接続する中央桁である。そして、隅桁ｐ１と中間桁ｐ２との間及び中間桁ｐ２と中央桁ｐ３との間に、フォーク差し込み孔ｐ４が形成されている。
【００１２】
上部デッキボードＰ’のフォーク差し込み孔ｐ４が交差する領域で、且つ、フォークの上面が接触する部分には、後述する滑り止め部材が挿着されるとともに、上部デッキボードＰ’を貫通する滑り止め部材挿入孔１が、所定数、形成されている。以下においては、滑り止め部材挿入孔１が、上部デッキボードＰ’に形成された、上部デッキボードＰ’に対して略垂直な板状のリブ２により囲まれた空間として構成されている例を用いて、本発明の実施例を説明するが、滑り止め部材挿入孔１を、リブ２により囲まれていない、上部デッキボードＰ’を貫通する孔として構成することもできる。
【００１３】
本実施例においては、図３〜図６に示されているように、上部デッキボードＰ’を形成するリブ２のうち、相対する長辺リブ２ａと相対する短辺リブ２ｂにより、平面形状が矩形状で、且つ、上部デッキボードＰ’に対して略垂直な板状のリブ２の高さ分の深さを有する滑り止め部材挿入孔１が形成されている。
【００１４】
３は、相対する長辺リブ２ａの下端部を架橋するように、短辺リブ２ｂに沿って、所定の間隔で略平行に配置された一対の脱落防止部材であり、脱落防止部材３の下面は、滑り止め部材挿入孔１を構成する長辺リブ２ａ及び短辺リブ２ｂの下面と面一になるように形成されている。
【００１５】
脱落防止部材３は、相対する長辺リブ２ａの下端部に、それぞれ連接された垂直状角柱部３ａと、相対する垂直状角柱部３ａの下端部を連接する水平状角柱部３ｂとを有しており、短辺リブ２ｂ側から見た脱落防止部材３の形状は、略Ｕ字状に形成されている。なお、本実施例においては、垂直状角柱部３ａの対向する側面は、垂直状角柱部３ａの上端から水平状角柱部３ｂの上面に向かって、徐々に、互いに接近するように傾斜した傾斜面（以下、単に、対向傾斜面と称する。）３ａ１として形成されている。また、垂直状角柱部３ａは、滑り止め部材挿入孔１を構成する長辺リブ２ａ及び短辺リブ２ｂの略中程まで延在されている。
【００１６】
４は、滑り止め部材挿入孔１を構成する長辺リブ２ａ及び短辺リブ２ｂの滑り止め部材挿入孔１側の下部に、適当数、形成された、水平下面４ａと、水平下面４ａの先端から、長辺リブ２ａ或いは短辺リブ２ｂに向かって、上方に傾斜した傾斜上面４ｂと、相対する垂直側面４ｃとから、略三角柱状に形成された横長の係止爪である。本実施例においては、短辺リブ２ｂと脱落防止部材３との間に位置する長辺リブ２ａの下端部に、１本の係止爪４が形成されているので、１つの長辺リブ２ａの下端部には、２本の係止爪４が形成されている。また、相対する短辺リブ２ｂの下端部には、１本の係止爪４が、それぞれ形成されている。このような、係止爪４は、全て、滑り止め部材挿入孔１を構成する長辺リブ２ａ及び短辺リブ２ｂの同じ位置に形成されている。
【００１７】
次に、図７〜図１１を用いて、滑り止め部材挿入孔１に挿着される滑り止め部材Ｓについて説明する。
【００１８】
滑り止め部材Ｓは、略角柱状のブロック体として形成されており、滑り止め部材Ｓの平面形状は、滑り止め部材挿入孔１の平面形状と略同じ大きさに形成されている。
【００１９】
滑り止め部材Ｓの外周面の中程の高さには、上述した滑り止め部材挿入孔１を構成する長辺リブ２ａ及び短辺リブ２ｂの滑り止め部材挿入孔１側の下部に形成された係止爪４が係合される係止爪挿入用水平溝ｓ１が形成されている。係止爪挿入用水平溝ｓ１は、略水平な天井面ｓ１ａと略水平な底面ｓ１ｂと略垂直な奥壁面ｓ１ｃとを有しており、係止爪挿入用水平溝ｓ１の高さ及び奥行きは、係止爪４が挿着可能な高さ及び奥行きに形成されている。
【００２０】
滑り止め部材Ｓの相対する長辺側壁部には、所定の間隔を置いて、滑り止め部材Ｓの全高に亘たって略垂直に延在する垂直状角柱部挿入用垂直溝ｓ２が形成されており、この垂直状角柱部挿入用垂直溝ｓ２には、滑り止め部材Ｓを、滑り止め部材挿入孔１に挿着した際に、滑り止め部材挿入孔１を構成する相対する長辺リブ２ａに形成された脱落防止部材３の垂直状角柱部３ａが挿入されるように構成されている。
【００２１】
また、滑り止め部材Ｓの長辺側壁部に形成された一対の垂直状角柱部挿入用垂直溝ｓ２間に位置する長辺側壁部には、必要に応じて、半円柱状の略垂直な排水溝ｓ３が形成されている。
【００２２】
係止爪挿入用水平溝ｓ１を形成する略水平な底面ｓ１ｂと該底面ｓ１ｂの下方に位置する滑り止め部材Ｓの側壁面ｓ４’とにより形成される、係止爪挿入用水平溝ｓ１の下部側に位置する下部角部ｓ５’は、この部分に適当な弾性を持たせるために、鋭角に形成されることが好ましい。即ち、滑り止め部材Ｓの側壁面ｓ４’は、内側に傾斜した傾斜面（以下、単に、側部傾斜面と称し、同じ符号ｓ４’を付す。）として形成されている。例えば、係止爪挿入用水平溝ｓ１を形成する略水平な底面ｓ１ｂと側部傾斜面ｓ４’とにより形成される下部角部ｓ５’の角度は、４５〜８５度の範囲に形成されることが好ましい。なお、係止爪挿入用水平溝ｓ１を形成する天井面ｓ１ａと該天井面ｓ１ａに対して略垂直な滑り止め部材Ｓの側壁面ｓ４”とにより、係止爪挿入用水平溝ｓ１の上部側に位置する上部角部ｓ５”が形成されている。
【００２３】
滑り止め部材Ｓの下面部には、上述した一対の脱落防止部材３を構成する水平状角柱部３ｂが挿入可能な水平状角柱部挿入用水平溝ｓ６が、所定の間隔を置いて、形成されている。水平状角柱部挿入用水平溝ｓ６と垂直状角柱部挿入用垂直溝ｓ２とは、連続して形成されている。換言すれば、水平状角柱部挿入用水平溝ｓ６と垂直状角柱部挿入用垂直溝ｓ２とは、滑り止め部材Ｓを、長辺側壁部から見た場合に、水平状角柱部挿入用水平溝ｓ６の両端部と垂直状角柱部挿入用垂直溝ｓ２の下端部が一致するように構成されている。
【００２４】
次に、図１２〜図１５を用いて、相対する長辺リブ２ａと相対する短辺リブ２ｂとにより区画されており、また、相対する長辺リブ２ａの下端部を架橋する一対の脱落防止部材３が形成されているとともに、長辺リブ２ａ及び短辺リブ２ｂの滑り止め部材挿入孔１側の下部に係止爪４が形成されている滑り止め部材挿入孔１への滑り止め部材Ｓの挿着について説明する。
【００２５】
上述した滑り止め部材Ｓは、上部デッキボードＰ’の上面側から滑り止め部材挿入孔１に、水平状角柱部挿入用水平溝ｓ６を下にして挿入される。そして、滑り止め部材Ｓの垂直状角柱部挿入用垂直溝ｓ２に、滑り止め部材挿入孔１に形成された脱落防止部材３を構成する垂直状角柱部３ａが挿入されるとともに、滑り止め部材Ｓの水平状角柱部挿入用水平溝ｓ６に、滑り止め部材挿入孔１に形成された脱落防止部材３を構成する水平状角柱部３ｂが挿入されるように、滑り止め部材Ｓを、滑り止め部材挿入孔１に挿入する。この滑り止め部材Ｓの滑り止め部材挿入孔１への挿着過程において、滑り止め部材Ｓの上述した側部傾斜面ｓ４’と滑り止め部材Ｓの底面ｓ７とにより形成される下端角部ｓ８が、滑り止め部材挿入孔１を構成する長辺リブ２ａ及び短辺リブ２ｂの滑り止め部材挿入孔１側の下部に形成された係止爪４の傾斜上面４ｂに当接することになるが、この状態から、更に、強制的に、滑り止め部材Ｓを下降させると、滑り止め部材Ｓの下端角部ｓ８により、係止爪４が下方に弾性変形し、係止爪４の先端部が、滑り止め部材Ｓの側部傾斜面ｓ４’に当接することになる。その後、更に、滑り止め部材Ｓを下降させると、滑り止め部材挿入孔１を構成する長辺リブ２ａ及び短辺リブ２ｂの滑り止め部材挿入孔１側の下部に形成された係止爪４が、滑り止め部材Ｓの係止爪挿入用水平溝ｓ１に嵌合されると同時に、下方に弾性変形していた係止爪４が、その弾性復元力より、元の水平状態に戻り、係止爪４の水平下面４ａが、滑り止め部材Ｓの係止爪挿入用水平溝ｓ１の底面ｓ１ｂに当接、或いは、底面ｓ１ｂに近接することになる。また、係止爪４の水平下面４ａが、滑り止め部材Ｓの係止爪挿入用水平溝ｓ１の底面ｓ１ｂに当接、或いは、底面ｓ１ｂに近接した状態においては、滑り止め部材Ｓの上述した係止爪挿入用水平溝ｓ１の上部側に位置する上部角部ｓ５”が、滑り止め部材挿入孔１を構成する長辺リブ２ａ及び短辺リブ２ｂに形成された係止爪４の傾斜上面４ｂに当接するように構成されており、このように構成することにより、滑り止め部材Ｓの上下方向へのガタつきを防止することができる。
【００２６】
また、上述したように、滑り止め部材Ｓの係止爪挿入用水平溝ｓ１に、滑り止め部材挿入孔１を構成する長辺リブ２ａ及び短辺リブ２ｂの滑り止め部材挿入孔１側の下部に形成された係止爪４が係合され、係止爪４の水平下面４ａが、滑り止め部材Ｓの係止爪挿入用水平溝ｓ１の底面ｓ１ｂに当接することにより、或いは、係止爪４の水平下面４ａが、底面ｓ１ｂに近接することにより、滑り止め部材挿入孔１を構成する長辺リブ２ａ及び短辺リブ２ｂの滑り止め部材挿入孔１側の下部に形成された係止爪４が、滑り止め部材Ｓの係止爪挿入用水平溝ｓ１の底面ｓ１ｂに係止された際には、滑り止め部材挿入孔１に形成された脱落防止部材３を構成する水平状角柱部３ｂの上面３ｂ１が、滑り止め部材Ｓの水平状角柱部挿入用水平溝ｓ６の天井面ｓ６ａに、当接、或いは、天井面ｓ６ａに近接するように構成されており、また、この状態においては、滑り止め部材Ｓの下面ｓ７が、滑り止め部材挿入孔１に形成された脱落防止部材３を構成する水平状角柱部３ｂの下面３ｂ２から下方に突出するように構成されている。従って、合成樹脂製パレットＰのフォーク差し込み孔ｐ４にフォークを挿入した際には、フォークの上面に、滑り止め部材Ｓの下面ｓ７が当接するように構成されている。
【００２７】
更に、上述したように、滑り止め部材Ｓの係止爪挿入用水平溝ｓ１に、滑り止め部材挿入孔１を構成する長辺リブ２ａ及び短辺リブ２ｂの滑り止め部材挿入孔１側の下部に形成された係止爪４が係合され、係止爪４の水平下面４ａが、滑り止め部材Ｓの係止爪挿入用水平溝ｓ１の底面ｓ１ｂに当接、或いは、底面ｓ１ｂに近接することにより、滑り止め部材挿入孔１を構成する長辺リブ２ａ及び短辺リブ２ｂの滑り止め部材挿入孔１側の下部に形成された係止爪４が、滑り止め部材Ｓの係止爪挿入用水平溝ｓ１の底面ｓ１ｂに係止された際には、滑り止め部材挿入孔１を構成する相対する長辺リブ２ａを架橋する脱落防止部材３の垂直状角柱部３ａの上端面３ａ２が、滑り止め部材Ｓの上面ｓ９と略面一となるように構成されている。
【００２８】
上述したようにして、滑り止め部材Ｓの垂直状角柱部挿入用垂直溝ｓ２に、滑り止め部材挿入孔１に形成された脱落防止部材３の垂直状角柱部３ａが挿入されるとともに、滑り止め部材挿入孔１に形成された脱落防止部材３を構成する水平状角柱部３ｂの上面３ｂ１が、滑り止め部材Ｓの水平状角柱部挿入用水平溝ｓ６の天井面ｓ６ａに、当接、或いは、天井面ｓ６ａに近接するように、滑り止め部材Ｓに形成された垂直状角柱部挿入用垂直溝ｓ２及び水平状角柱部挿入用水平溝ｓ６に、滑り止め部材挿入孔１に形成された脱落防止部材３が挿入され、また、滑り止め部材挿入孔１に形成された係止爪４が、滑り止め部材Ｓの係止爪挿入用水平溝ｓ１に係止されように、滑り止め部材Ｓが、上部デッキボードＰ’に穿設された滑り止め部材挿入孔１に挿着された際には、滑り止め部材挿入孔１を構成する相対する長辺リブ２ａに形成された脱落防止部材３の垂直状角柱部３ａの上端面３ａ２が、滑り止め部材Ｓの上面ｓ９と略面一となるように構成されている。
【００２９】
滑り止め部材Ｓが、上部デッキボードＰ’に穿設された滑り止め部材挿入孔１に、上述したように、正常に挿着された際には、滑り止め部材挿入孔１を構成する相対する長辺リブ２ａに形成された脱落防止部材３の垂直状角柱部３ａの上端面３ａ２が、滑り止め部材Ｓの上面ｓ９と略面一となるように構成されているので、滑り止め部材Ｓを、上部デッキボードＰ’に穿設された滑り止め部材挿入孔１に挿着する作業をしている作業者は、滑り止め部材挿入孔１に形成された脱落防止部材３の垂直状角柱部３ａの上端面３ａ２が、滑り止め部材Ｓの上面ｓ９と略面一となっているか否かを、目視により確認することにより、滑り止め部材挿入孔１に形成された脱落防止部材３の垂直状角柱部３ａの上端面３ａ２が、滑り止め部材Ｓの上面ｓ９と略面一となっている場合には、滑り止め部材Ｓが、上部デッキボードＰ’に穿設された滑り止め部材挿入孔１に、正常に挿着されていることを確認することができ、また、滑り止め部材挿入孔１に形成された脱落防止部材３の垂直状角柱部３ａの上端面３ａ２が、滑り止め部材Ｓの上面ｓ９から突出している場合には、滑り止め部材Ｓの係止爪挿入用水平溝ｓ１に、滑り止め部材挿入孔１に形成された係止爪４が係合されておらず、滑り止め部材Ｓの上部デッキボードＰ’に穿設された滑り止め部材挿入孔１への打ち込みが十分ではなく、滑り止め部材Ｓが、上部デッキボードＰ’に穿設された滑り止め部材挿入孔１に、正常に挿着されていないことを、目視により確認することができるので、常に、確実に、滑り止め部材Ｓを、滑り止め部材挿入孔１に挿着することができる。
【００３０】
また、滑り止め部材Ｓの上部デッキボードＰ’に穿設された滑り止め部材挿入孔１への挿着作業の際には、作業者は、目視により、滑り止め部材挿入孔１に形成された脱落防止部材３の垂直状角柱部３ａの上端面３ａ２が、滑り止め部材Ｓの上面ｓ９と略面一となるまで、滑り止め部材Ｓを、滑り止め部材挿入孔１に打ち込めばよく、従って、滑り止め部材Ｓを、打ちすぎて、滑り止め部材挿入孔１に形成された脱落防止部材３を損傷するようなことを防止することができる。
【００３１】
上述した実施例においては、脱落防止部材３を構成する垂直状角柱部３ａの対向する側面を、垂直状角柱部３ａの上端面３ａ２から水平状角柱部３ｂの上面３ｂ１に向かって、徐々に、互いに接近するように傾斜した対向傾斜面３ａ１とした例が示されているが、図１６に示されているように、脱落防止部材３を構成する垂直状角柱部３ａの対向する側面を、略垂直に構成することもできるが、脱落防止部材３を構成する垂直状角柱部３ａの対向する側面を、略垂直に構成した場合には、脱落防止部材３を構成する水平状角柱部３ｂの長さが長くなり、従って、脱落防止部材３の強度が低下し、損傷し易くなるので、脱落防止部材３を構成する垂直状角柱部３ａの対向する側面を、対向傾斜面３ａ１とすることが好ましい。
【図面の簡単な説明】
【００３２】
【図１】図１は、本発明の合成樹脂製パレットの平面図である。
【図２】図２は、本発明の合成樹脂製パレットの側面図である。
【図３】図３は、本発明の合成樹脂製パレットの上部デッキボードに形成された滑り止め部材挿入孔の斜視図である。
【図４】図４は、本発明の合成樹脂製パレットの上部デッキボードに形成された滑り止め部材挿入孔の平面図である。
【図５】図５は、本発明の合成樹脂製パレットの上部デッキボードに形成された滑り止め部材挿入孔の一部断面を含む斜視図である。
【図６】図６は、本発明の合成樹脂製パレットの上部デッキボードに形成された滑り止め部材挿入孔の一部断面を含む正面図である。
【図７】図７は、本発明の合成樹脂製パレットの上部デッキボードに形成された滑り止め部材挿入孔に挿着される滑り止め部材の正面図である。
【図８】図８は、本発明の合成樹脂製パレットの上部デッキボードに形成された滑り止め部材挿入孔に挿着される滑り止め部材の平面図である。
【図９】図９は、本発明の合成樹脂製パレットの上部デッキボードに形成された滑り止め部材挿入孔に挿着される滑り止め部材の上方からの斜視図である。
【図１０】図１０は、本発明の合成樹脂製パレットの上部デッキボードに形成された滑り止め部材挿入孔に挿着される滑り止め部材の下方からの斜視図である。
【図１１】図１１は、本発明の合成樹脂製パレットの上部デッキボードに形成された滑り止め部材挿入孔に挿着される滑り止め部材の垂直断面図である。
【図１２】図１２は、本発明の合成樹脂製パレットの上部デッキボードに形成された滑り止め部材挿入孔の上方に配置された滑り止め部材の一部断面を含む正面図である。
【図１３】図１３は、本発明の合成樹脂製パレットの上部デッキボードに形成された滑り止め部材挿入孔に挿着された状態の滑り止め部材等の一部断面を含む斜視図である。
【図１４】図１４は、本発明の合成樹脂製パレットの上部デッキボードに形成された滑り止め部材挿入孔に挿着された状態の滑り止め部材の平面図である。
【図１５】図１５は、本発明の合成樹脂製パレットの上部デッキボードに形成された滑り止め部材挿入孔に挿着された状態の滑り止め部材等の一部断面を含む短辺リブ側からの斜視図である。
【符号の説明】
【００３３】
Ｐ・・・・・・・・合成樹脂製パレット
Ｐ’・・・・・・・上部デッキボード
Ｓ・・・・・・・・滑り止め部材
ｓ１・・・・・・・係止爪挿入用水平溝
ｓ２・・・・・・・垂直状角柱部挿入用垂直溝
ｓ６・・・・・・・水平状角柱部挿入用水平溝
１・・・・・・・・滑り止め部材挿入孔
２・・・・・・・・リブ
３・・・・・・・・脱落防止部材
３ａ・・・・・・・垂直状角柱部
３ｂ・・・・・・・水平状角柱部
４・・・・・・・・係止爪
【図１】
2010116194.tif 000003
【図２】
2010116194.tif 000004
【図３】
2010116194.tif 000005
【図４】
2010116194.tif 000006
【図５】
2010116194.tif 000007
【図６】
2010116194.tif 000008
【図７】
2010116194.tif 000009
【図８】
2010116194.tif 000010
【図９】
2010116194.tif 000011
【図１０】
2010116194.tif 000012
【図１１】
2010116194.tif 000013
【図１２】
2010116194.tif 000014
【図１３】
2010116194.tif 000015
【図１４】
2010116194.tif 000016
【図１５】
2010116194.tif 000017